(57)【要約】      （修正有）【課題】頭部に固定することが可能なヘアバンド付き折りたたみ傘を提供する。【解決手段】頭部に装着するヘアバンド１１の外面中央部に連結具を嵌合させるための連結孔を穿設し、連結具１２を介して折りたたみ傘１３を着脱自在に備える。また、ヘアバンド１１は、金属材料または樹脂材料の板状部材からなり、頭部を両側から挟持可能な強度及び弾性力を有する円弧状に湾曲成形する。さらに、連結具１２は、折りたたみ傘の軸下端部に形成された雄ネジ部を嵌挿可能に陥入成形されたナット部、及び前記ヘアバンドの外面中央部に穿設された連結孔に対応する嵌合部を設けて構成する。【選択図】図１
0003157639.tif 000002
【実用新案登録請求の範囲】
【請求項１】
頭部に装着するヘアバンドの外面中央部に連結具を嵌合させるための連結孔を穿設し、連結具を介して折りたたみ傘を着脱自在に備えることを特徴とする、ヘアバンド付き折りたたみ傘。
【請求項２】
前記ヘアバンドは、金属材料または樹脂材料の板状部材からなり、頭部を両側から挟持可能な強度及び弾性力を有する円弧状に湾曲成形されることを特徴とする、請求項１に記載のヘアバンド付き折りたたみ傘。
【請求項３】
前記連結具は、
折りたたみ傘の軸下端部に形成された雄ネジ部を嵌挿可能に陥入成形されたナット部、 及び前記ヘアバンドの外面中央部に穿設された連結孔に対応する嵌合部を有することを特徴とする、請求項１または２に記載のヘアバンド付き折りたたみ傘。
【考案の詳細な説明】
【技術分野】
【０００１】
本考案は頭部に固定することが可能なヘアバンド付き折りたたみ傘に関する。
【背景技術】
【０００２】
従来の傘は、使用時には軸部を手に持つ必要があり、傘の使用時に手が塞がるため、他の作業を行いたい際には不便である。また、携帯用雨具としての折りたたみ傘は、持ち運ぶ際には便利であるが、使用時には従来の傘と同様に軸部を手に持つ必要があるため、例えば自転車に乗る際、ベビーカーを押す際等には事故発生の危険性を孕んでいた。
【０００３】
前記の不便を解消するため、装着器具を用いて身体に傘を装着するための支持用具が提案されている。例えば、特開２００３−３１０３２０号公報は、使用者の肩に左右２本で構成される傘の軸を固定させ、体に装具できる傘を提供する。また、特開２００６−２１２１３９号公報は、頭部に着用することが可能な雨傘を提供する。
【先行技術文献】
【特許文献】
【０００４】
【特許文献１】特開２００３−３１０３２０号公報
【特許文献２】特開２００６−２１２１３９号公報
【考案の概要】
【考案が解決しようとする課題】
【０００５】
しかしながら、上記特許文献１では、傘の不使用時には折りたたむことが不可能であるため、持ち運びの際に嵩張ってしまうという問題がある。
【０００６】
また、上記特許文献２では、折りたたみが可能であり、携帯に便利な状態で持ち運ぶことができるが、使用時に頭部に折りたたみ傘を係着して使用する場合、バンドを頭部に巻きつけて固定するため、スポーツ観戦等の静止した状態での使用には適しているが、歩行中に使用する際には頭部係着バンドが煩わしいという問題がある。
【０００７】
本考案は前記問題点に鑑みてなされたものであり、本考案は頭部に固定することが可能なヘアバンド付き折りたたみ傘を提供することを目的とする。
【課題を解決するための手段】
【０００８】
上記目的を達成するため、請求項１に記載したヘアバンド付き折りたたみ傘は、頭部に装着するヘアバンドの外面中央部に連結具を嵌合させるための連結孔を穿設し、連結具を介して折りたたみ傘を着脱自在に備えることを特徴とする。
【０００９】
また、請求項２に記載したヘアバンド付き折りたたみ傘は、前記ヘアバンドが、金属材料または樹脂材料の板状部材からなり、頭部を両側から挟持可能な強度及び弾性力を有する円弧形に湾曲成形されることを特徴とする。
【００１０】
さらに、請求項３に記載したヘアバンド付き折りたたみ傘は、前記連結具が、折りたたみ傘の軸下端部に形成された雄ネジ部を嵌挿可能に陥入成形されたナット部、及び前記ヘアバンドの外面中央部に穿設された連結孔に対応する嵌合部を有することを特徴とする。
【考案の効果】
【００１１】
本考案のヘアバンド付き折りたたみ傘は、頭部に装着するヘアバンドの外面中央部に連結具を嵌合させるための連結孔を穿設し、連結具を介して折りたたみ傘を着脱自在に備えることを特徴とするため、ヘアバンドに折りたたみ傘を装着し、頭上に固定することにより、折りたたみ傘を手に持つ必要がなくなり、例えば自転車に乗る際や子供連れで物を持つ際、あるいは犬をつれて散歩する際において、両手が塞がれず自由になるという効果を奏する。また、折りたたみ傘はヘアバンドに対して着脱自在であるので、折りたたみ傘を使用しない時は取り外し、折りたたんだ状態にして携帯又は保管をすることが可能となる。
【００１２】
また、本考案のヘアバンド付き折りたたみ傘は、ヘアバンドが、金属材料または樹脂材料の板状部材からなり、頭部を両側から挟持可能な強度及び弾性力を有する円弧状に湾曲成形されることを特徴とするため、容易にヘアバンドが頭部から脱落してしまうことはなく、折りたたみ傘を安定して支持できるという効果を奏する。
【００１３】
さらに、本考案のヘアバンド付き折りたたみ傘は、連結具が、折りたたみ傘の軸下端部に形成された雄ネジ部を嵌挿可能に陥入成形されたナット部、及び前記ヘアバンドの外面中央部に穿設された連結孔に対応する嵌合部を有することを特徴とするため、ヘアバンド及び折りたたみ傘が強固に連結され、折りたたみ傘使用時において折りたたみ傘を安定して支持できるという効果を奏する。
【００１４】
なお、折りたたみ傘は、雨傘をヘアバンドに装着することで雨天時に使用可能であるが、傘の選択によっては紫外線遮蔽性を有する日傘として使用することも可能である。また、雨傘を装着するヘアバンドは男女兼用であり、ヘアバンドを帽子に埋め込み、帽子の上部から連結孔を露出させた状態での使用や、帽子の上部に連結孔を穿設したものを使用することも可能である。
【図面の簡単な説明】
【００１５】
【図１】図１は連結具を介して折りたたみ傘を装着したヘアバンドの概略図である。
【図２】図２はヘアバンド及び帽子の説明図である。
【図３】図３は連結孔の説明図である。
【図４】図４は上面から見たヘアバンドと連結具嵌合部の係合例の説明図である。
【図５】図５は連結具の説明図である。
【図６】図６は折りたたみ傘の軸下端部の説明図である。
【図７】図７は折りたたみ傘の説明図である。
【図８】図８はヘアバンド、連結具、折りたたみ傘の装着の説明図である。
【考案を実施するための形態】
【００１６】
本考案のヘアバンド付き折りたたみ傘は、頭部に装着するヘアバンド、連結具、折りたたみ傘からなる。
【００１７】
ヘアバンドは、弾性力を有する長尺の板状部材を円弧形に形成したもの、またはこの円弧形の板状部材を布等の被覆材で被覆したものからなり、ヘアバンドは、両端部を広げて弾性力で両側頭部を挟持するようにして頭部に装着され、ヘアバンドの外面中央部が頭頂部に位置するように使用される。このため、上記板状部材は、両端部間が開いた円弧状に形成されている。その両端部の形状は、両端部の両側辺がテーパー状でもよく、両端部の両側辺が平行であってもよい。また、頭部においてヘアバンドの脱落を防止するために、両端部をリボン等で結んでもよい。
【００１８】
ヘアバンドは男女兼用であり、ヘアバンドの板状部材は金属材料、または樹脂材料で形成されていることが好ましいが、これに限定されるものではなく、相当程度の強度を有する素材であれば問題ない。上述の通り、ヘアバンドに布等を被覆して用いても構わない。また、ヘアバンドの形状は、従来型以外にも帽子型等多種多様な形状であってよい。
【００１９】
ヘアバンドの寸法は、板状部材の弾性力、つまり頭部への締め付け力を考慮して決定されるが、その長さは、ヘアバンドに折りたたみ傘を装着し、ヘアバンドを頭部に固定した際に、折りたたみ傘を安定して支持できる程度に長く、長手方向に約４０〜５０ｃｍ程度であることが好ましい。ヘアバンドの幅は、上記同様、ヘアバンドに折りたたみ傘を装着し、ヘアバンドを頭部に固定した際に、折りたたみ傘を安定して支持できる程度に幅が広いことが好ましく、約１５〜２０ｍｍ程度であることが好ましい。ヘアバンドの厚みは、折りたたみ傘を装着するための連結具を取り付ける連結孔を穿設する程度に厚みがあることが好ましく、約７〜１０ｍｍ程度であることが好ましい。
【００２０】
ヘアバンドに穿設される連結孔は、連結具の嵌合部の形状に対応する開口部と、ヘアバンドの外面中央部内側に設けられた係止部からなる。開口部は、連結具の嵌合部の形状とほぼ同一の形状であり、連結具の嵌合部をヘアバンドの外面中央部内側に挿入することが可能であれば問題ない。また係止部は、連結具の嵌合部を係合させるための係止爪を有しており、連結具の嵌合部を開口部から挿入した後に９０度回転させ、係止爪によって連結具を固定する。なお、連結孔はこれに限定されるものではなく、例えば、連結具の嵌合部を開口部に挿入し、接着剤で固定してもよい。
【００２１】
連結具は、折りたたみ傘の軸下端部に形成された雄ネジ部を嵌挿可能に陥入成形されたナット部、及び前記ヘアバンドの外面中央部に穿設された連結孔に対応する嵌合部、それらを接続する接続部からなる。
【００２２】
ナット部は、折りたたみ傘の軸下端部に形成された雄ネジ部を嵌挿可能に陥入成形されており、その内面には、雄ネジ部と螺着させることができる雌ネジ部が形成されており、雄ネジ部と螺着することで折りたたみ傘と連結具を締結固定することが可能である。ナット部の直径は、折りたたみ傘の雄ネジ部の直径に合わせ、約直径８〜１０ｍｍ程度の大きさに形成することが好ましい。なお、ナット部はこれに限定されるものではなく、内面に雌ネジ部を形成せず、接着剤で折りたたみ傘の軸下端部と接着固定してもよい。
【００２３】
嵌合部は、ヘアバンドの外面中央部に穿設された連結孔に対応する形状であればよく、例えば連結具を上面から見た場合に嵌合部の形状はＳ字型形状であってもよい。形状はこれに限定されるものではなく、連結具を上面から見た場合に嵌合部は直線形状等でもよい。
【００２４】
連結具は、例えばステンレス等の適宜の金属材料、または樹脂材料で形成されていることが好ましいが、これに限定されるものではなく、相当程度の強度を有する素材であれば問題ない。なお、雨天時に使用することから、耐腐食性を有する素材を用いるのが好ましい。
【００２５】
折りたたみ傘は、取っ手に連続する軸部が伸縮し、使用時に織物を広げるための親骨が折りたたみ可能となっている従来の形状であればよい。軸部及び親骨はヘアバンドを装着した頭部への負担を軽減すべく軽量化するためアルミニウム製、カーボン製のものが好ましく、折りたたみ傘全体の重量は、約２５０ｇ以下であることが好ましい。織物は、例えばポリアミドフィラメント繊維またはポリエステルフィラメント繊維からなるものが挙げられるが、特にこれに限定するものではない。また、紫外線遮蔽性を有する織物を使用することで、晴天時の日傘として使用することも可能である。
【００２６】
折りたたみ傘の軸下端部の取っ手は、上記ナット部と同様、軸下端部に形成された雄ネジ部を嵌挿可能に陥入成形されており、その内面には、雄ネジ部と螺着させることができる雌ネジ部が形成されており、雄ネジ部と螺着させることで締結固定されているが、取っ手を取り外し、連結具を代わりに螺着することでヘアバンドに折りたたみ傘を装着することが可能である。
【００２７】
折りたたみ傘の軸部は、通常伸縮自在の入れ子式の中棒から形成されており、本考案においては、２分割又は３分割の親骨を備えた折りたたみ傘を使用し、使用時にはその軸部の長さは１０〜２５ｃｍ程度に調整し、最適な長さを選択することが好ましい。これによって折りたたみ傘をヘアバンドに装着し、頭部に固定した際に、折りたたみ傘の織物を頭部付近に設置することが可能となり、雨天使用時に雨粒を効率的に防ぐことができる。
【実施例】
【００２８】
以下、本考案の実施の形態を図面に基づいて説明する。
【００２９】
本考案のヘアバンド付き折りたたみ傘１０は、図１に示すように、頭部に装着するヘアバンド１１、連結具１２、折りたたみ傘１３からなる。
【００３０】
図２はヘアバンド１１及び帽子１４の説明図である。図２（Ａ）、（Ｂ）に示すように、ヘアバンド１１は、両端部１１ａを広げて弾性力で両側頭部を挟持するようにして頭部に装着され、ヘアバンド１１の外面中央部１１ｂが頭頂部に位置するように使用される。その両端部１１ａの形状は、両端部１１ａの両側辺がテーパー状でもよく、両端部１１ａの両側辺が平行であってもよい。また、頭部においてヘアバンド１１を強固に固定するために、両端部１１ａをリボン等で結んでもよい（図示せず）。
【００３１】
ヘアバンド１１は、図２（Ｃ）に示すように、ヘアバンド１１を帽子１４に埋め込んだ状態で、連結孔１１ｃを外部に露出させ使用することも可能である。なお、ヘアバンド１１及び帽子１４の形状はこれに限定されるものではない。
【００３２】
ヘアバンド１１に穿設される連結孔１１ｃは、図３に示すように、連結具１２の嵌合部１２ａの形状に対応する開口部１１ｄと、ヘアバンド１１の外面中央部１１ｂ内側に設けられた係止部１１ｅからなる。開口部１１ｄは、連結具１２の嵌合部１２ａの形状とほぼ同一であり、連結具１２をヘアバンド１１の外面中央部１１ｂ内側に挿入することが可能であれば問題ない。また係止部１１ｅは、連結具１２の嵌合部１２ａを係合させるため、図４に示すように、連結具１２の嵌合部１２ａを開口部１１ｄから挿入した後に９０度回転させ、係止爪１１ｆによって連結具１２をヘアバンド１１に固定する。なお、連結孔１１ｃは図２（Ｂ）に示すように、直線形状であってもよい。また、ヘアバンド１１と連結具１２の連結方法はこれに限定されるものではなく、例えば、ヘアバンド１１に穿設される連結孔１１ｃに係止部１１ｅを設けずとも、連結具１２の嵌合部１２ａを開口部１１ｄに挿入し、接着剤で固定してもよい。
【００３３】
図５に示すように、連結具１２は、折りたたみ傘１３の軸下端部１３ｄに形成された雄ネジ部１３ｅを嵌挿可能に陥入成形されたナット部１２ｂ、及び前記ヘアバンド１１の外面中央部１１ｂに穿設された連結孔１１ｃに対応する嵌合部１２ａ、それらを接続する接続部１２ｃからなる。
【００３４】
ナット部１２ｂは、折りたたみ傘１３の軸下端部１３ｄに形成された雄ネジ部１３ｅを嵌挿可能に陥入成形されており、その内面には、雄ネジ部１３ｅと螺着させることができる雌ネジ部１２ｄが形成されており、雄ネジ部１３ｅと螺着させることで折りたたみ傘１３と連結具１２を締結固定することが可能である。
【００３５】
嵌合部１２ａは、ヘアバンド１１の外面中央部１１ｂに穿設された連結孔１１ｃに対応する形状であればよく、例えば図５（Ａ）に示すように、連結具１２を上面から見た場合にＳ字型形状であってもよい。形状はこれに限定されるものではなく、図５（Ｂ）に示すように、直線形状でもよい。
【００３６】
連結具１２は、例えばステンレス等の適宜の金属材料、または樹脂材料で形成されていることが好ましいが、これに限定されるものではなく、相当程度の強度を有する素材であれば問題ない。なお、雨天時に使用することから、耐腐食性を有する素材を用いるのが好ましい。
【００３７】
折りたたみ傘１３は、図６に示すように、取っ手１３ｃに連続する軸部１３ｂが伸縮し、使用時に織物１３ｆを広げるための親骨１３ａが折りたたみ可能となっており、軸部１３ｂ及び親骨１３ａはヘアバンドを装着した頭部への負担を軽減すべく軽量化のためアルミニウム製、カーボン製のものが好ましく、折りたたみ傘１３の重量は２５０ｇ以下であればより好ましい。織物１３ｆは、例えばポリアミドフィラメント繊維またはポリエステルフィラメント繊維からなるものが挙げられるが、特にこれに限定するものではない。
【００３８】
折りたたみ傘１３の軸下端部１３ｄの取っ手１３ｃは、上記ナット部１２ｂと同様、軸下端部１３ｄに形成された雄ネジ部１３ｅを嵌挿可能に陥入成形されており、その内面には、雄ネジ部１３ｅと螺着させることができる雌ネジ部１２ｄ（図示せず）が形成されており、雄ネジ部１３ｅと螺着させることで締結固定されているが、取っ手１３ｃを取り外し、連結具１２を代わりに螺着することで、ヘアバンド１１に折りたたみ傘１３を装着することが可能である。
【００３９】
図７は折りたたみ傘１３の説明図であり、不使用時に携帯又は保管等する際の、折りたたんだ状態を示している。折りたたみ傘１３の軸部１３ｂは、通常伸縮自在の入れ子式の中棒から形成されており、本考案においては、図７（Ａ）に示すように、２分割、又は図７（Ｂ）に示すように、３分割の親骨１３ａを備えた折りたたみ傘１３を使用する。２分割の親骨１３ａを備えた折りたたみ傘（Ａ）では、折りたたんだ状態で全長が３０ｃｍ、また３分割の親骨１３ａを備えた折りたたみ傘（Ｂ）では、折りたたんだ状態で全長が２０ｃｍの折りたたみ傘１３を使用するが、折りたたみ傘１３の大きさはこれに限定されず、用途に応じた折りたたみ傘１３を使用可能である。
【００４０】
図８はヘアバンド１１、連結具１２、折りたたみ傘１３の装着の説明図である。本考案に係るヘアバンド付き折りたたみ傘１０は、頭部に装着するヘアバンド１１の外面中央部１１ｂに連結具１２を嵌合させるための連結孔１１ｃを穿設し、連結具１２を介して折りたたみ傘１３を着脱自在に備える。折りたたみ傘１３の軸部１３ｂは、使用時にはその軸部１３ｂの長さは１０〜２５ｃｍ程度に調整し、最適な長さを選択することが好ましい。これによって折りたたみ傘１３をヘアバンド１１に装着し、頭部に固定した際に、折りたたみ傘１３の織物を頭部付近に設置することが可能となり、雨天使用時に雨粒を効率的に防ぐことができる。
【００４１】
本考案は、上記の通り、ヘアバンド１１に折りたたみ傘１３を装着し、頭上に固定することにより、折りたたみ傘１３を手に持つ必要がなくなり、例えば自転車に乗る際や子供連れで物を持つ際、あるいは犬をつれて散歩する際において、両手が塞がれず自由になるという利点を有し、また、折りたたみ傘１３はヘアバンド１１に対して着脱自在であるので、折りたたみ傘１３を使用しない時は取り外し、折りたたんだ状態にして携帯又は保管をすることが可能となることから、産業上の利用可能性が極めて高い。
【００４２】
以上、本考案に係る実施の形態であるが、本考案の技術的範囲は上記実施の形態に記載の範囲には限定されず、上記実施の形態に、多種多様な技術的変更または改良を加えることによる実施の形態もまた、本考案の技術的範囲に属することは当業者に明らかである。
【符号の説明】
【００４３】
１０ ヘアバンド付き折りたたみ傘
１１ ヘアバンド
１１ａ 両端部
１１ｂ 外面中央部
１１ｃ 連結孔
１１ｄ 開口部
１１ｅ 係止部
１１ｆ 係止爪
１２ 連結具
１２ａ 嵌合部
１２ｂ ナット部
１２ｃ 接続部
１２ｄ 雌ネジ部
１３ 折りたたみ傘
１３ａ 親骨
１３ｂ 軸部
１３ｃ 取っ手
１３ｄ 軸下端部
１３ｅ 雄ネジ部
１３ｆ 織物
１４ 帽子
【図１】
0003157639.tif 000003
【図２】
0003157639.tif 000004
【図３】
0003157639.tif 000005
【図４】
0003157639.tif 000006
【図５】
0003157639.tif 000007
【図６】
0003157639.tif 000008
【図７】
0003157639.tif 000009
【図８】
0003157639.tif 000010